(57)【要約】【課題】  プラズマディスプレイパネルの電磁不要輻射対策としてのガスケットをフィルターガラスへワンタッチで着脱可能にし、セット組み立ての作業性及びメンテナンスを大幅に改善できるようにした映像表示装置を得る。【解決手段】  ＰＤＰモジュール４が発生する電磁不要輻射をシールドするため、ＰＤＰモジュール４の前面に電磁シールド部９を有するフィルターガラス３と、電磁シールド部９をフロントパネル２及びリアカバー５に導通するガスケット１１とを備えたＰＤＰテレビであって、ガスケット１１は断面「Ｊ」の字形状の樹脂芯材１２の表面に導電布１３を巻き付けた構成からなり、ガスケット１１をフィルターガラス３の各外周辺に挟み込んで挿着し、ガスケット１１がフィルターガラス３の電磁シールド部９の電極部９ａと導電接続されると共に、フロントパネル３を介してリアカバー５と導電ループを形成するようにした。【選択図】      図７
2006053241.tif 000002
【特許請求の範囲】
【請求項１】
フラットパネル表示体が発生する電磁不要輻射をシールドするため、上記フラットパネル表示体の前面に電磁シールド部を有するフィルターガラスと、上記電磁シールド部を上記フィルターガラスのフロントパネルに導通する導電接触子とを備えた映像表示装置であって、
上記導電接触子は、上記フィルターガラスの各外周辺に挟み込まれるように挿着し、該フィルターガラスの電極部と導電接続されると共に、上記フィルターガラスのフロントパネルを介してリアカバーと導電ループを形成する
ことを特徴とする映像表示装置。
【請求項２】
上記導電接触子は、断面「Ｊ」の字形状の樹脂成形芯材に導電布を巻き付け成形されていることを特徴とする請求項１に記載の映像表示装置。
【請求項３】
上記導電接触子は、断面「Ｊ」の字形状の一部にばね性を備え、上記フィルターガラスの各外周辺に嵌め込まれて固定されることを特徴とする請求項１に記載の映像表示装置。
【請求項４】
上記導電接触子には、上記フラットパネル表示体と上記フィルターガラスとの間の周囲を塞ぐクッション材からなる閉塞部材を備えていることを特徴とする請求項１に記載の映像表示装置。
【請求項５】
上記映像表示装置がフラットパネルディスプレイあるいはフラットパネルカラーテレビであることを特徴とする請求項１に記載の映像表示装置。
【発明の詳細な説明】
【技術分野】
【０００１】
本発明は、例えばプラズマディスプレイパネル（ＰＤＰ）や液晶パネル等を使用したフラットパネルディスプレイあるいはフラットパネルカラーテレビ等の映像表示装置に関し、さらに詳しくは、フラットパネル表示体が発生する電磁不要輻射をシールドするためのフィルターガラス及び導電接触子（ガスケット）であって、特に、フィルターガラスへの導電接触子の取り付けあるいはメンテナンス等の作業性を改善した映像表示装置を実現するようにしたものである。
【背景技術】
【０００２】
ＰＤＰテレビや液晶テレビに代表されるフラットパネルディスプレイは、その最大の特徴は奥行きの薄さであり、従来からのブラウン管を使用しているディスプレイにはない大きなセールスとなっている。
【０００３】
例えば、ＰＤＰテレビを例に挙げると、ＰＤＰテレビは内蔵するＰＤＰモジュールの発光デバイスから高レベルの放射性電磁波妨害（通称、不要輻射という）の電磁波が発生する。そこでこの電磁波を外部に漏れないようにするため、ＰＤＰモジュールの前面に金属メッシュによる電磁シールドを施したフィルターガラスを配置するようにして不要輻射の対策を行うようにした技術が開示されている。（例えば、特許文献１参照）。
【０００４】
上述した特許文献１の技術は、フィルターガラスの電磁シールド部分は導電性のガスケットを介してＰＤＰテレビの筐体、例えば、リアカバーに導通するようにしている。
【特許文献１】特開２００４−１７０６２４号公報
【発明の開示】
【発明が解決しようとする課題】
【０００５】
ここで、フィルターガラスの電磁シールド部分と導電性を得るための従来のガスケットは、一般にクッション性を有するウレタンゴム等の周りに金属シートを施したものであって、このガスケットを両面接着テープを用いてフィルターガラスの電磁シールドの端部の電極に貼り付けるようにしたものである。
【０００６】
しかし、このようなガスケットは、例えば、３０インチ以上の大型のテレビではガスケット自体の長さも長くなり、フィルターガラスへの貼り付け作業等が煩雑となってＰＤＰテレビのセット組み立ての低下等の課題として挙げられている。また、ＰＤＰテレビセットのメンテナンスが生じた場合には、フィルターガラスから両面接着テープを剥がしてガスケットを取り外すことを勘案すると作業性及びサービス性にとって極めて好ましくないといった問題がある。
【０００７】
本発明は、上述したような課題を解消するためになされたもので、プラズマディスプレイパネルの電磁不要輻射対策としてのガスケットをフィルターガラスへワンタッチで着脱可能にし、セット組み立ての作業性及びメンテナンスを大幅に改善できるようにした映像表示装置を得ることを目的とする。
【課題を解決するための手段】
【０００８】
上記の課題を解決し、本発明の目的を達成するため、本発明による請求項１に記載の映像表示装置は、フラットパネル表示体が発生する電磁不要輻射をシールドするため、フラットパネル表示体の前面に電磁シールド部を有するフィルターガラスと、電磁シールド部をフィルターガラスのフロントパネルに導通する導電接触子とを備えた映像表示装置であって、導電接触子はフィルターガラスの各外周辺に挟み込まれるように挿着し、導電接触子がフィルターガラスの電極部と導電接続されると共に、フィルターガラスのフロントパネルを介してリアカバーと導電ループを形成することを特徴とする。
【０００９】
また、請求項２に記載の映像表示装置は、導電接触子は断面「Ｊ」の字形状の樹脂成形芯材に導電布を巻き付け成形されていることを特徴とする。
【００１０】
また、請求項３に記載の映像表示装置は、導電接触子は断面「Ｊ」の字形状の一部にばね性を備え、フィルターガラスの各外周辺に嵌め込まれて固定されることを特徴とする。
【００１１】
また、請求項４に記載の映像表示装置は、導電接触子には、フラットパネル表示体とフィルターガラスとの間の周囲を塞ぐクッション材からなる閉塞部材を備えていることを特徴とする。
【００１２】
また、請求項５に記載の映像表示装置は、映像表示装置がフラットパネルディスプレイあるいはフラットパネルカラーテレビであることを特徴とする。
【発明の効果】
【００１３】
本発明の請求項１に記載の映像表示装置によれば、フィルターガラスの外周辺に導電接触子を挟み込むだけのワンタッチで取り付けることができ、これによって、導電接触子の着脱の作業性を大幅に改善することができ、製造ラインでの組み立て能率が向上できる。
【００１４】
また、請求項２に記載の映像表示装置によれば、導電接触子は断面「Ｊ」の字形状の樹脂成形芯材に導電布を巻き付け成形したので、フィルターガラスの形状に合った芯材を射出成形により容易に成形することができる。
【００１５】
また、請求項３に記載の映像表示装置によれば、導電接触子は断面「Ｊ」の字形状の一部にばね性を備えるようにしたので、フィルターガラスの外周辺に導電接触子を挟み込むだけで導電接続が得られ安定して固定することができる。
【００１６】
また、請求項４に記載の映像表示装置によれば、導電接触子には、フラットパネル表示体とフィルターガラスとの間の周囲を塞ぐクッション材からなる閉塞部材を備えたので、フィルターガラスに導電接触子を取り付けることで閉塞部材の取り付けをも同時に行え、セットの組み立て作業性を改善できる。
【発明を実施するための最良の形態】
【００１７】
以下、本発明による映像表示装置の最良の実施の形態をプラズマディスプレイパネル（ＰＤＰ）を使用した薄型のプラズマカラーテレビ（以下、ＰＤＰテレビという）を例にとって図面を参照して説明する。
【００１８】
図１はＰＤＰテレビを正面側から見た斜視図、図２はフィルターガラスと導電接触子であるガスケットの分離状態の斜視図、図３はガスケットの拡大断面図、図４はＰＤＰテレビ全体の縦断面図、図５は図１のＡ−Ａ線における拡大断面図である。
【００１９】
符号１はアスペクト比が９対１６のＰＤＰテレビの映像表示画面１であり、映像表示画面１の四周外周部は例えば、金属薄板等の複数のパネル材の組立体からなるフロントパネル２で構成されている。フロントパネル２には映像表示画面１の前面側にフィルターガラス３が配置され、フィルターガラス３の背後にプラズマディスプレイパネル及びその駆動回路をシャーシに搭載したＰＤＰモジュール４が組み込まれている。そして、ＰＤＰモジュール４の背後からフロントパネル２にリアカバー５を組み付けてＰＤＰテレビ本体を構成している。符号６はＰＤＰテレビ本体のスタンドである。
【００２０】
フィルターガラス３は、透明なガラス板あるいは透明なアクリル板からなるガラス基板３ａの表面（前面側）に例えば、ＡＲコート（アンチリフレクションコート）等による反射防止膜７が形成されている。また、ガラス基板３ａの裏面には、その四周外周部に所定幅に亘って枠形状に黒色のセラミック印刷８が施されている。さらに、ガラス基板３ａの裏面全面にセラミック印刷８の上から透明で導電性のメッシュフィルム９（以下、電磁シールド部９という）が形成されている。この電磁シールド部９はＰＤＰモジュール４から発生する電磁不要輻射を外部に漏らさないようにするために電磁シールドするためのものである。また、電磁シールド部９の上から外周側の電磁シールド部９を枠状に残すようにして色調整用の光学フィルタ１０が形成されている。この枠状に残されて露出する電磁シールド部９は後述するガスケットと導電接続するための電極部９ａとなる。
【００２１】
符号１１は電磁不要輻射を外部に漏らさないようにフロントパネル２及びリアカバー５とで導電ループを形成するための本発明の特徴部分である導電接触子（以下、ガスケット１１という）である。このガスケット１１は断面が「Ｊ」の字形状にされた４本の枠体１１ａ,１１ｂ,１１ｃ,１１ｄからなる。枠体１１ａ,１１ｂはフィルターガラス３の長辺側に嵌め込まれ、枠体１１ｃ,１１ｄはフィルターガラス３の短辺側に嵌め込み式に挿着される。
【００２２】
さらに詳しく説明すると、ガスケット１１は例えば、ＡＢＳ樹脂を射出成形により成形され、「コ」の字状の一方の辺１２ａが他方の辺１２ｂより幅を長くした、いわゆる断面形状が「Ｊ」の字形状の樹脂芯材１２と、この樹脂芯材１２の表面に巻き付けた導電布１３とから構成されたものである。この導電布１３は樹脂芯材１２の幅の長い辺１２ａの端部側に折り返して裏面側にも導電布１３ａを巻き付けてある。また、ガスケット１１の両辺１２ａ,１２ｂは平行であって、その内幅ａはフィルターガラス３の厚みに対して密着して嵌め込まれる寸法である。
【００２３】
このように構成したガスケット１１は、幅の長い辺１２ａをフィルターガラス３の裏面側に向けてフィルターガラス３の４つの各外周辺に挟み付けるようにして挿着される。これにより、ガスケット１１の裏面側に巻き付けられた導電布１３ａがフィルターガラス３の外周側の露出する電磁シールド部９の電極部９ａに導電接続される。
【００２４】
すなわち、ガスケット１１はその内面形状をフィルターガラス３の形状に合わせておくことで、ガスケット１１の挿着によって従来のような両面接着テープを用いることなくフィルターガラス３に密着して固定されるものである。さらに、別の方法として図３の仮想線で示すようにガスケット１１の少なくとも幅の短い辺１２ｂを内側に多少撓ませておき、フィルターガラス３への挿着の際、短い辺１２ｂを押し広げてガスケット１１を挿着することで、ガスケット１１自体の弾性復元力により両辺１２ａ,１２ｂがフィルターガラス３を適度に圧着し、導電布１３ａが電磁シールド部９の電極部９ａに確実に導電接続されると共に、ガスケット１１がみだりに脱落することなく安定して固定することができる。
【００２５】
上述したようにガスケット１１は、フィルターガラス３への挿着による取り付けが極めて作業性よく容易に行うことができ、また、フィルターガラス３からガスケット１１の取り外しも抜き出すだけの簡単な操作により容易に行うことができる。これによって、フィルターガラス３に対するガスケット１１の着脱作業が短時間で可能となり、ＰＤＰテレビのセットの組立て及びメンテナンス等における組立て、分解作業が向上できる。
【００２６】
さて、ガスケット１１が挿着されたフィルターガラス３は、図３及び図４に示すようにフロントパネル２、ＰＤＰモジュール４及びリアカバー５等と共に組み込まれ、ＰＤＰテレビ本体のセットが構成される。
【００２７】
ＰＤＰテレビ本体のセット状態では、フィルターガラス３に挿着されているガスケット１１は、フィルターガラス３の前面側に位置する短い辺１２ｂの表面に巻き付けられている導電布１３がフロントパネル２の裏面に導電接続された状態となる。
【００２８】
すなわち、上述したＰＤＰテレビでは、上述したガスケット１１の構造を採用することにより、ＰＤＰモジュール４から発生する電磁不要輻射をシールドするための次のような導電ループを形成することができる。
【００２９】
この導電ループは、フィルターガラス３の電磁シールド部９、電磁シールド部９の電極部９からガスケット１１の導電布１３ａ、ガスケット１１の導電布１３からフロントパネル２、フロントパネル２からリアカバー５を経て、再び反対側のフロントパネル２からガスケット１１の導電布１３及び導電布１３ａを介して、フィルターガラス３の電磁シールド部９に戻る導電ループである。これにより、ＰＤＰモジュール４が発生する電磁不要輻射はＰＤＰテレビの外部へ漏れるのを回避することができる。
【００３０】
また、ガスケット１１の別の実施の形態として、図６に示すように幅の長い辺１２ａの導電布１３の背面側にその全長に亘ってスポンジ等のクッション材１４が接着剤により貼り付け固定した例である。ガスケット１１へのクッション材１４の取り付けにより、図７に示したＰＤＰテレビ本体のセット状態において、ＰＤＰモジュール４のパネル前面にクッション材１４が接触し、これによって、フィルターガラス３とＰＤＰモジュール４との間の隙間を塞いでＰＤＰパネル面への塵埃等の侵入を防止することができる。
【００３１】
このように、クッション材１４を予めガスケット１１に取り付けておくことで、両面接着テープを使わずにフィルターガラス３へのガスケット１１の取り付けと同時にクッション材１４の取り付けを実現し、ＰＤＰテレビのセット組立ての作業性の改善を図ることができる。
【００３２】
本発明は、上述しかつ図面に示した実施の形態に限定されるものでなく、その要旨を逸脱しない範囲内で種々の変形実施が可能である。
【００３３】
本発明の実施の形態ではガスケット１１の樹脂芯材１２に巻き付けられた導電部材として導電布１３を使用した場合について説明したが、その他、樹脂芯材１２に金属膜をコーティングあるいはメッキ処理したものであってもよい。
【００３４】
また、本発明の実施の形態では映像表示装置としてプラズマディスプレイパネルを使用したＰＤＰテレビを例にとって説明したが、その他、液晶パネル等のフラットパネルディスプレイの電磁不要輻射対策としてのガスケットにも広く適用可能である。
【図面の簡単な説明】
【００３５】
【図１】本発明の実施の形態であるＰＤＰテレビを前面側から見た斜視図である。
【図２】フィルターガラスと導電接触子であるガスケットの分離状態の斜視図である。
【図３】ガスケットの拡大断面図である。
【図４】ＰＤＰテレビのセット全体の縦断面図である。
【図５】図１のＡ−Ａ線における拡大断面図である。
【図６】ガスケットにクッション材を取り付けた実施の形態の斜視図である。
【図７】図６のガスケットを使用したＰＤＰテレビのセット全体の縦断面図である。
【符号の説明】
【００３６】
１…映像表示画面、２…フロントパネル、３…フィルターガラス、４…ＰＤＰモジュール、５…リアカバー、９…電磁シールド部、９ａ…電極部、１１…ガスケット、１２…樹脂芯材、１２ａ…ガスケットの幅の長い辺、１２ｂ…ガスケットの幅の短い辺、１３,１３ａ…導電布、１４…クッション材
【図１】
2006053241.tif 000003
【図２】
2006053241.tif 000004
【図３】
2006053241.tif 000005
【図４】
2006053241.tif 000006
【図５】
2006053241.tif 000007
【図６】
2006053241.tif 000008
【図７】
2006053241.tif 000009